(57)【要約】【課題】複数の充電器を容易かつ強固に連結させることができるようにすることである。【解決手段】充電端子２を上面に配したハウジング３と、このハウジング３の両側に設けられ他のハウジング３に設けられた連結構造部４、５に係合される連結構造部４、５とを備え、前記連結構造部４、５が、前記他のハウジング３に設けられた連結構造部４、５に対して両側方向と交差する向きにスライド係合可能とされており、前記連結構造部４、５と前記他のハウジング３に設けられた連結構造部４、５とが、係合状態で上下方向および両側方向に噛合うようにし、さらに、前記ハウジング３と前記他のハウジング３とが連結された状態で両ハウジング３、３間に架け渡される支持板９を備え、この支持板９が両ハウジング３、３に着脱可能とされている構成とした。【選択図】図１
2006340449.tif 000002
【特許請求の範囲】
【請求項１】
充電端子を上面に配したハウジングと、このハウジングの両側に設けられ他のハウジングに設けられた連結構造部に係合される連結構造部とを備えた充電器において、前記連結構造部が、前記他のハウジングに設けられた連結構造部に対して両側方向と交差する向きにスライド係合可能とされており、前記連結構造部と前記他のハウジングに設けられた連結構造部とが、係合状態で上下方向および両側方向に噛合うことを特徴とする充電器。
【請求項２】
前記連結構造部がスライド抵抗となる凹凸部を有する請求項１に記載の充電器。
【請求項３】
前記ハウジングの両側に設けられ前記他のハウジングに設けられた結合端子部に接続される結合端子部を備え、前記結合端子部が両側方向と交差する向きに配向されており、前記連結構造部がスライドされる状態で、前記結合端子部と前記他のハウジングに設けられた結合端子部とが対向する請求項１または２に記載の充電器。
【請求項４】
前記結合端子部と前記他のハウジングに設けられた結合端子部とが、前記連結構造部と前記他のハウジングに設けられた連結構造部のスライドにより結合され、両連結構造部内に内包される請求項３に記載の充電器。
【請求項５】
充電端子を上面に配したハウジングと、このハウジングの両側に設けられ他のハウジングに設けられた連結構造部に係合される連結構造部とを備えた充電器において、前記ハウジングと前記他のハウジングとが連結された状態で両ハウジング間に架け渡される支持板を備え、この支持板が両ハウジングに着脱可能とされていることを特徴とする充電器。
【請求項６】
請求項１から４のいずれかに記載の充電器において、前記ハウジングと前記他のハウジングとが連結された状態で両ハウジング間に架け渡される支持板を備え、この支持板が両ハウジングに着脱可能とされていることを特徴とする充電器。
【請求項７】
前記ハウジングに前記支持板を保持する板収納部が設けられており、前記支持板が前記他のハウジングに向けてスライド可能とされている請求項５または６に記載の充電器。
【請求項８】
前記ハウジングのうち前記支持板に覆われる部分に、ヒューズの着脱口が形成されている請求項５から７のいずれかに記載の充電器。
【請求項９】
前記支持板に指掛けが形成されており、前記支持板が前記板収納部に保持された状態で、前記指掛けが前記ハウジングから露出する請求項７または８に記載の充電器。
【請求項１０】
前記ハウジングが前記他のハウジングからの支持板を位置決めする受け部を有し、前記受け部と前記他のハウジングに設けられた板収納部とで前記他のハウジングからの支持板が架け渡し状態に保持される請求項７から９のいずれかに記載の充電器。
【請求項１１】
前記支持板にタップ加工部が形成されており、前記受け部が、前記他のハウジングからの支持板に形成されたタップ加工部に連通するねじ通し孔を有する請求項１０に記載の充電器。
【発明の詳細な説明】
【技術分野】
【０００１】
この発明は、業務用無線機をまとめて充電する場合のように、複数の充電対象物を同時に充電するのに好適な充電器に関する。
【背景技術】
【０００２】
従来から、複数の業務用無線機を一度にまとめて充電する場合、ＡＣアダプタに接続された充電器に他の充電器を連結させて複数の充電器を一体化し、この状態で連結上流側の充電器と下流側の充電器とを電気的に接続する連結式の充電器が利用されている。
【０００３】
例えば、図７に示すように、ハウジング５１の上面および底面が平面状に形成されており、この底面にインサートナット５２が設けられた充電器５０がある。２つの充電器５０、５０は、ハウジング５１の底面を上向きに置き、底面間に板金からなる支持板５３を架け渡し、この支持板５３と各充電器５０をインサートナット５２とねじ５４とで締結することにより連結される。この後、両充電器５０、５０は、コード等により電気的に接続されるようになっている。
【０００４】
上記支持板５３により充電器５０を連結する構造では、作業者が充電中に連結状態の充電器の置き場所を移動させる場合のように、全体が持ち上げられると、複数の充電器の重みとこれに装着された複数の業務用無線機の重みにより、支持板５３が変形したりコードが外れたりし易いという問題があった。さらに、支持板５３のねじ止め作業時に位置合せが煩わしく、また、コード等を接続する必要があるなど、連結作業が面倒なものであった。
【０００５】
そこで、ＡＣアダプタとして機能する親機充電器に複数の子機充電器を機械的・電気的に連結可能とした充電器が提案されている。子機充電器は、ハウジングの上面に業務用無線機が装着される充電接続部を有し、他のハウジングに係合される連結構造部と前記他のハウジングに接続される結合端子部とが前記ハウジングの両側に設けられている。
【０００６】
連結構造部の一方側は凸係合部とされており、他方側は他のハウジングに形成された凸係合部が側方から嵌合される凹係合部とされている。結合端子部の一方側は雄端子部とされており、他方側は雌端子部とされている。連結構造部が前記他のハウジングに設けられた連結構造部に凹凸係合されると、結合端子部が他のハウジングに設けられた結合端子部に接続される。
【０００７】
この例の充電器では、先ず、親機充電器に設けられた凹係合部、雌端子部に子機充電器の凸係合部、雄端子部が係合、接続された後、この子機充電器に他の子機充電器が順次連結される。これにより、連結上流側の充電器より下流側の充電器に電源供給されるように構成されており、親機充電器のＡＣアダプタ機能で全ての子機充電器が機能するようになっている（特許文献１参照）。
【０００８】
【特許文献１】特開平２−１０６１３７号公報（図１、図３、図４参照）
【発明の開示】
【発明が解決しようとする課題】
【０００９】
しかしながら、凸係合部と凹係合部とで充電器同士を連結する構造では、全体が親機側から両側方向に引っ張られると、凸係合部が簡単に抜け方向にずり動き易き、連結が外れ易いという問題があった。また、全体を親機側から持ち上げると、中程の充電器が、斜めに傾いて凹凸係合部が外れ、そのまま脱落し易いという問題もあった。
【００１０】
そこで、この発明の第１の課題は、連結構造部の係合により複数の充電器を容易かつ強固に連結させることができるようにすることにあり、第２の課題は、支持板を容易に取り付けることが可能で、この支持板を用いた連結構造により複数の充電器を容易かつ強固に連結させることができるようにすることにある。
【課題を解決するための手段】
【００１１】
上記第１の課題を解決するため、この発明の第１の手段は、充電端子を上面に配したハウジングと、このハウジングの両側に設けられ他のハウジングに設けられた連結構造部に係合される連結構造部とを備えた充電器において、前記連結構造部が、前記他のハウジングに設けられた連結構造部に対して両側方向と交差する向きにスライド係合可能とされており、前記連結構造部と前記他のハウジングに設けられた連結構造部とが、係合状態で上下方向および両側方向に噛合うように構成した。
【００１２】
上記第１の手段の構成によれば、ある充電器のハウジング一方側に他の充電器のハウジング他方側を近づけ、ある充電器または他の充電器を両側方向と交差方向にスライドさせることにより、両充電器が連結される。ある充電器のハウジングの他方側に他の（前記他の充電器とは異なる）充電器を近づけ、前記と同様にスライドさせることにより、両充電器が連結される。このようにスライド操作だけで充電器同士を連結することが可能なり、上記支持板５３で連結する場合と比して複数の充電器を容易に連結することができる。
【００１３】
また、上記の連結状態では、全体が両側方向に引っ張られても、前記連結構造部と前記他のハウジングに設けられた連結構造部の係合は、各連結構造部が両側方向に噛合うことにより、両側方向に抜け止めされる。また、全体が一端側から持ち上げられて、中程の充電器が傾いたとしても、各連結構造部が上下方向および両側方向に噛合うことにより、抜け止めされる。このため、この構成によれば、特許文献１のものと比して、複数の充電器を強固に連結させることができる。
【００１４】
上記構成において、前記連結構造部がスライド抵抗となる凹凸部を有する構成を採用すれば、作業者にスライド係合が完了したことを知らせるクリック感を与えることができる。また、スライド係合の完了後には、凹凸部が抜け方向に対する抵抗部となり、より確実な連結が得られる。
【００１５】
上記構成において、前記ハウジングの両側に設けられ前記他のハウジングに設けられた結合端子部に接続される結合端子部を備え、前記結合端子部が両側方向と交差する向きに配向されており、前記連結構造部がスライドされる状態で、前記結合端子部と前記他のハウジングに設けられた結合端子部とが対向する構成を採用すれば、連結構造部のスライド係合操作を利用して電気的接続を実現させることが可能なり、充電器の連結作業がより簡単になる。
【００１６】
具体的には、前記結合端子部と前記他のハウジングに設けられた結合端子部とが、前記連結構造部と前記他のハウジングに設けられた連結構造部のスライドにより結合され、両連結構造部内に内包される構成を採用すれば、連結構造部のスライド係合が完了すると電気的接続もなされる。さらに、この状態で、結合端子部が連結構造部により保護される。このため、結合端子部の短絡に対する安全性が高まる。
【００１７】
また、上記第２の課題を解決するため、この発明の第２の手段は、充電端子を上面に配したハウジングと、このハウジングの両側に設けられ他のハウジングに設けられた連結構造部に係合される連結構造部とを備えた充電器において、前記ハウジングと前記他のハウジングとが連結された状態で両ハウジング間に架け渡される支持板を備え、この支持板が両ハウジングに着脱可能とされている構成とした。
【００１８】
上記第２の手段の構成によれば、前記連結構造部により両ハウジングのずれ動きが防止されるようになり、支持板の取り付け作業は、上記充電器５０の場合に比して容易に行うことができる。また、充電器同士の機械的連結は、連結構造部と支持板との２重連結構造となり、上記充電器５０の場合に比して強固に連結することができる。
【００１９】
上記第２の手段に係る構成は、上記第１の手段に係る構成と組み合わせて採用するのに好適である。すなわち、上記第１の手段に係る構成において、前記ハウジングと前記他のハウジングとが連結された状態で両ハウジング間に架け渡される支持板を備え、この支持板が両ハウジングに着脱可能とされている構成を採用すればよい。
【００２０】
この構成によれば、連結構造部はスライド係合されるので、２重連結としても連結作業が複雑になることはない。また、連結構造部は各連結構造部が上下方向および両側方向に噛合うことにより、支持板に加わる上下方向の荷重や回転荷重が連結構造部で受け止められる。このため、支持板の変形が防止される。一方、落下時などには、充電器間のずれ動きが支持板により防止される。このため、上記第１の手段に係る連結構造部は、落下時においてもスライドせず、係合が外れることもない。
【００２１】
上記構成において、前記ハウジングに前記支持板を保持する板収納部が設けられており、前記支持板が前記他のハウジングに向けてスライド可能とされている構成を採用すれば、連結構造部が係合された状態で前記支持板を前記他のハウジングに向けてスライドさせるだけで他のハウジングに架け渡すことが可能になり、支持板の取り付け作業が容易になる。特に上記第１の手段に係る構成と組み合わせて採用すれば、支持板の変形が防止されるので、前記支持板のスライドが円滑になる。
【００２２】
上記構成において、前記ハウジングのうち前記支持板に覆われる部分に、ヒューズの着脱口が形成されている構成を採用すれば、ヒューズの着脱口にカバーを設ける必要がなくなり、その分、低コストになる。
【００２３】
上記構成において、前記支持板に指掛けが形成されており、前記支持板が前記板収納部に保持された状態で、前記指掛けが前記ハウジングから露出する構成を採用すれば、前記支持板のスライド操作が容易になる。
【００２４】
上記構成において、前記ハウジングが前記他のハウジングからの支持板を位置決めする受け部を有し、前記受け部と前記他のハウジングに設けられた板収納部とで前記他のハウジングからの支持板が架け渡し状態に保持される構成を採用すれば、前記支持板は、位置合せが不要になると共に、架け渡し状態に保持されるようになり、前記支持板の着脱作業がより簡単になる。
【００２５】
上記構成において、前記支持板にタップ加工部が形成されており、前記受け部が、前記他のハウジングからの支持板に形成されたタップ加工部に連通するねじ通し孔を有する構成を採用すれば、上記充電器５０のようにインサートナットを設ける場合と比してタップ加工を施すだけで済み、その分、低コスト化を図ることができ、また、ねじ止め時の位置合せも不要になり、支持板の取り付けが一層容易になる。
【発明の効果】
【００２６】
上述のように、この発明は、前記連結構造部の一方側が、前記他のハウジングに設けられた連結構造部に対して両側方向と交差する向きにスライド係合可能な溝部とされ、前記連結構造部の他方側が前記他のハウジングに設けられた溝部に係合される爪部とされており、前記連結構造部と前記他のハウジングに設けられた連結構造部が、係合状態で上下方向および両側方向に噛合うように構成したので、複数の充電器を容易かつ強固に連結させることができる。
また、この発明は、充電端子を上面に配したハウジングと、このハウジングの両側に設けられ他のハウジングに設けられた連結構造部に係合される連結構造部とを備えた充電器において、前記ハウジングと前記他のハウジングとが連結された状態で両ハウジング間に架け渡される支持板を備え、この支持板が両ハウジングに着脱可能とされている構成としたので、支持板を容易に取り付けることが可能で、この支持板を用いた連結構造により複数の充電器を容易かつ強固に連結させることができる。
【発明を実施するための最良の形態】
【００２７】
以下、この発明の最良の実施形態を添付図面に基づいて説明する。
図１（ａ）は、実施形態に係る複数の充電器１、１が連結される前の状態を上方から示している。この充電器１は、充電端子２を上面に配したハウジング３と、このハウジング３の両側に設けられた連結構造部４、５と、ハウジング３の両側に設けられた結合端子部６、７とを備える。
【００２８】
ハウジング３は、樹脂成型体からなり、充電端子２が露出する充電口８を取り囲む側周壁を有する。充電口８は、業務用無線機に対応しており、充電端子２はハウジング３内に設けられた周知の充電回路、充電制御回路などに接続されている。連結構造部４、５は、充電口８を挟むようにしてハウジング３の左右に設けられている。
【００２９】
右側の連結構造部４は、図２に示すように、ハウジング３から右方に突出するブロック部１０の上下両面に開放する一対の後方溝部１１と、この後方溝部１１から前方に離間する前方爪部１２とから構成されている。ブロック部１０には、結合端子部６が前後方向に配向され後端面から露出するように内蔵されている。
【００３０】
後方溝部１１のそれぞれは、左右の両側方向に交差する向き、すなわち前後方向に向けて形成されており、後端開放、前端閉塞とされている。前方爪部１２は、前後方向に向けて形成されており、上下に対向する一対の鉤壁１３、１３から構成されている。一対の鉤壁１３、１３は、前後および右側が開放するように設けられており、その上下端面には、凹部１３ａが形成されている。
【００３１】
左側の連結構造部５は、図３に示すように、ハウジング３から左側に突出する一対の前方溝部２１と、この前方溝部２１から後方に離間する後方爪部２２とから構成されている。
【００３２】
前方溝部２１は、上下に開放されており、前後方向に向けて形成されている。また、前方溝部２１は、前端開放、後端閉塞とされている。前方溝部２１の溝底面には、凸部２１ａが形成されている。
【００３３】
後方爪部２２は、前後方向に向けて形成されており、上下に対向する一対の鉤壁２３、２３と後端壁２４とで構成されている。一対の鉤壁２３、２３は、前および左側が開放するように設けられている。後端壁２４には、結合端子部７が前後方向に配向された状態で設けられている。
【００３４】
結合端子部６、７は、ＤＣジャックとＤＣプラグとから構成されており、この充電器１では、結合端子部６がＤＣジャックとされ、結合端子部７がＤＣプラグとされている。
【００３５】
上記の連結構造部４は、図１（ａ）に示すように、他の充電器１のハウジング３に設けられた連結構造部５（以下、単に他の連結構造部５といい、他の充電器１のハウジング３に設けられた構成については全て同様に呼ぶこととする）に対して前後方向にスライド係合される。なお、上記連結構造部５と他の連結構造部４、上記結合端子部７と他の結合端子部６は同じ関係になるので、この場合の説明を省略する。
【００３６】
具体的には、連結構造部４のブロック部１０が、他の連結構造部５の前方溝部２１と後方爪部２２の離間部分に接触される。この状態では、後方溝部１１と他の後方爪部２２、前方爪部１２と他の前方溝部２１、結合端子部６と他の結合端子部７が、前後に対向する。
【００３７】
そして、２台の充電器１、１が、前後方向に近づくように相対的にスライドされると、図１（ｂ）、図２（ａ）、図３（ａ）、図４（ａ）に示すように、連結構造部４と他の連結構造部５が係脱可能にスライド係合される。この状態では、図１（ｃ）に示すように、前方爪部１２の鉤壁１３と他の前方溝部２１とが上下方向および左右の両側方向に噛合うように係合される。このスライド係合の最後に、鉤壁１３の凹部１３ａと他の前方溝部２１の凸部２１ａとが若干の抵抗をもって嵌合され、これにより、作業者にクッリク感が与えられる。
【００３８】
また、図１（ｄ）に示すように、ブロック部１０と他の後方爪部２２が嵌合され、後方溝部１１と他の鉤壁２３、２３とが、上下方向および左右の両側方向に噛合うように係合される。
【００３９】
上記のスライドにより、結合端子部６と他の結合端子部７は、図１（ｄ）に示すように、結合された状態となり、電気的に接続される。この状態で、結合端子部６と他の結合端子部７は、図１（ｂ）、図２（ａ）、図３（ａ）、図４（ａ）に示すように、連結構造部４と他の連結構造部５内に内包される。
【００４０】
なお、結合端子部６を構成するＤＣジャックは、図１（ｂ）に示すように、連結時の電源供給用とＡＣアダプタＡとの接続用との間で供用可能とされている。これにより、一台のＡＣアダプタＡをいずれかの充電器１の結合端子部６に接続し、その充電器１の結合端子部７に他の結合端子部６を接続し、以下、他の充電器１の結合端子部６にさらに別の充電器の結合端子部７を接続するというようにして複数の充電器が全て機能を発揮するようになっている。
【００４１】
なお、一台の充電器１に連結可能な台数は、充電器１の内部回路が許容する限度に制限されるが、ＡＣアダプタの接続用ジャックや接続コードが別途不要なので、その分、低コスト化が図られる。
【００４２】
また、連結最下流の充電器１の結合端子部７は、後方爪部２２において外部に露出することになる。そこで、充電器１に後方爪部２２を閉塞するキャップを備え付けておき、結合端子部７を外部から遮蔽することができるようにしてもよい。
【００４３】
上記充電器１は、さらに第２の機械的連結機構を有する。すなわち、充電器１は、図２、図４、図５に示すように、ハウジング３と他のハウジング３とが連結された状態で両ハウジング３、３間に架け渡される支持板９を備える。この支持板９は、ハウジング３と他のハウジング３に着脱可能とされている。
【００４４】
具体的には、支持板９には、図６に示すように、矩形状の板金が用いられており、中心対称の４箇所にタップ加工部３０が形成されている。ハウジング３には、図２、図４に示すように、この支持板９を保持する板収納部３１が設けられている。
【００４５】
板収納部３１は、支持板９を左右の両側方向に案内する規制壁３２、３２と、支持板９のスライドを停止させるストッパ壁３３と、この支持板９の下面を支持する下板壁３４とを有し、ハウジング３の底面および右側面に開口している。
【００４６】
下板壁３４は、支持板９がストッパ壁３３に当る状態で、つまり未使用状態で、支持板９の４隅付近を支持しており、この脱落を防止している。また、支持板９がストッパ壁３３に当る状態で、支持板９の右側２隅のタップ加工部３０と下板壁３４のねじ通し孔３４ａとが連通するようになっており、支持板９がねじ３５により下板壁３４に対し締結され、支持板９が板収納部３１に保持される。
【００４７】
ねじ３５が外されると、支持板９は、規制壁３２、３２と下板壁３４とにより、他のハウジング３に向けて、つまり右方へスライド可能になる。
【００４８】
支持板９には、図６に示すように、前後方向の凸条部からなる指掛け３６が形成されている。この指掛け３６は、図４に示すように、支持板９が板収納部３１に保持された状態でハウジング３の底面から露出している。このため、作業者は、指先で支持板９を板収納部３１から送り出すことができる。なお、指掛け３６は切欠や切起し部などから構成することもできる。
【００４９】
また、図５に示すように、支持板９が板収納部３１に保持された状態で、ハウジング３のうち、支持板９に覆われる部分には、ヒューズの着脱口３７が形成されている。ねじ３５が外され、支持板９が板収納部３１から右方に引き抜かれると、ヒューズが交換可能となる。
【００５０】
また、ハウジング３は、図３、図４に示すように、他のハウジング３からの支持板９を位置決めする受け部４０を有する。受け部４０は、他のハウジング３からの支持板９を左右の両側方向に案内する規制壁４１、４１と、この支持板９を停止させるストッパ壁４２と、この支持板９の下面を支持する下板壁４３とから構成されている。
【００５１】
規制壁４１、４１と下板壁４３の間は、ハウジング３の底面および左側面に開口しており、規制壁４１、４１と他の規制壁３２、３２、下板壁４３と他の下板壁３４は、連結構造部４と他の連結構造部５とが係合された状態で左右の両側方向に対向するようになっている。
【００５２】
下板壁４３は、他のハウジング３からの支持板９に形成されたタップ加工部３０に連通するねじ通し孔４３ａを有する。ねじ通し孔４３ａは、ハウジング３の底面に形成されており、ねじ３５が挿通可能となっている。
【００５３】
上記の構成において、他のハウジング３からの支持板９は、連結構造部４と他の連結構造部５がスライド係合により連結された状態で、この連結構造部４、５の下方を渡り、規制壁４１、４１に規制されながら右方に移動し、他のストッパ壁４２に当ると停止する。この停止状態で、下板壁４３は、他のハウジング３からの支持板９の右側２隅を支持すると共に、他の下板壁３４は、左側２隅を支持する。すなわち、他のハウジング３からの支持板９は、下板壁４３と他の板収納部３１とで架け渡し状態に保持される。
【００５４】
この状態で、他のハウジング３からの支持板９は、その４隅のタップ加工部３０が下板壁４３、他の下板壁３４のねじ通し孔３４ａ、４３ａと連通するようになっている。ここで、他のハウジング３からの支持板９は、４隅においてねじ止めされ、下板壁４３と他の下板壁３４とに締結される。これにより、この支持板９はハウジング３と他のハウジング３に取り付けられると共に、充電器１、１の連結が完了する。
【００５５】
そして、全てのねじ３５が外されると、この支持板９は、ハウジング３と他のハウジング３から取り外し可能となり、板収納部３１のストッパ壁３３に当たるまで左方にスライドされる。次に、充電器１、１が、前後方向に離れるように相対的にスライドされると、連結構造部４、５の係合が解除される。これにより、充電器１、１の連結が完全に解除される。
【図面の簡単な説明】
【００５６】
【図１】（ａ）実施形態に係る充電器の上面図、（ｂ）実施形態に係る充電器が連結された様子を上方から示す使用状態図、（ｃ）図１（ｂ）の連結構造部のｃ−ｃ線の部分拡大断面図、（ｄ）図１（ｂ）の連結構造部のｄ−ｄ線の部分拡大断面図
【図２】（ａ）図１（ｂ）の充電器の後面図、（ｂ）図１（ａ）の右側面図、（ｃ）図１（ａ）の連結構造部の部分拡大斜視図
【図３】（ａ）図１（ｂ）の充電器の前面図、（ｂ）図１（ａ）の左側面図、（ｃ）図１（ａ）の連結構造部の部分拡大斜視図
【図４】（ａ）図１（ｂ）の底面図、（ｂ）図４（ａ）の状態から支持板を取り付けた様子を底面から示す使用状態図
【図５】図４（ｂ）において一方のハウジングの板収納部から支持板を引き抜いた状態を示す使用状態図
【図６】（ａ）図５の支持板の下面図、（ｂ）図５（ａ）のｂ−ｂ線の断面図
【図７】従来例の要部縦断面図
【符号の説明】
【００５７】
１  充電器
２  充電端子
３  ハウジング
４、５  連結構造部
６、７  結合端子部
９  支持板
１３ａ  凸部
２１ａ  凹部
３０  タップ加工部
３１  板収納部
３６  指掛け
３７  着脱口
４０  受け部
４３ａ  ねじ通し孔
【図１】
2006340449.tif 000003
【図２】
2006340449.tif 000004
【図３】
2006340449.tif 000005
【図４】
2006340449.tif 000006
【図５】
2006340449.tif 000007
【図６】
2006340449.tif 000008
【図７】
2006340449.tif 000009